(57)【特許請求の範囲】
【請求項１】
挿入端（１０３）、嵌合端（１０５）、並びに前記挿入端及び前記嵌合端間を延びる中心軸（１９０）を有するプラグ本体（１１０）と、該プラグ本体上を摺動可能に実装されたリング（１３１）と、該リング上を摺動可能に実装されたスリーブ部材（１４２）と
を具備するコネクタ組立体（１０２）であって、
前記嵌合端は、通信接続部及び電力接続部の少なくとも一方を構築するため、相手コネクタ（１０４）の収容室（２０８）内に挿入されるよう構成され、
前記プラグ本体は、前記中心軸を取り囲むと共に該中心軸から離れる方向を向く外面（１１１）を有し、
前記リングは、後退位置及びロック位置間を軸方向に前記プラグ本体の前記外面に沿って摺動するよう構成され、
前記スリーブ部材は、前記嵌合端に向かって延びると共に前記プラグ本体の前記外面に向かって内側に付勢された複数の指部（１４６）を具備し、
前記リングは、前記後退位置から前記ロック位置まで移動する際に前記指部と係合し、該指部を前記外面から離れる外側へ撓ませると共に前記相手コネクタに係合させることを特徴とするコネクタ組立体。
【請求項２】
前記コネクタ組立体は、縦軸の周囲に前記スリーブ部材を取り囲むシール帯（１３３）をさらに具備し、
該シール帯及び前記リングは、互いに作動結合され、
前記スリーブ部材は、前記リングが前記後退位置から前記ロック位置へ移動する際に、前記リング及び前記シール帯間を摺動することを特徴とする請求項１記載のコネクタ組立体。
【請求項３】
前記スリーブ部材は、前記リングに摺動可能に結合され、
前記スリーブ部材は、前記指部が前記相手コネクタと係合する際に、縦軸の周りに若干回転することができることを特徴とする請求項１記載のコネクタ組立体。
【請求項４】
前記指部は、細いスリット（１５７）により互いに分離され、
前記指部は、前記収容室の内壁面（２１８）に沿って延びるほぼ筒状構造を形成することを特徴とする請求項１記載のコネクタ組立体。
【請求項５】
前記プラグ本体は、内部に複数の嵌合コンタクト（１１３）を有する収容室（１１２）を区画し、
前記嵌合コンタクトは、前記相手コネクタのコンタクト溝（２２２）内に挿入されるよう構成されていることを特徴とする請求項１記載のコネクタ組立体。
【請求項６】
前記指部の各々は、半径方向外側に突出する少なくとも１個のねじ要素（１４８）を有し、
該少なくとも１個のねじ要素は、前記指部が壁面（２０６）に向かって押圧される際に該壁面と係合するよう構成されていることを特徴とする請求項１記載のコネクタ組立体。
【請求項７】
前記少なくとも１個のねじ要素は、対応する前記指部に沿った軸方向の位置を有し、
１個の前記指部の前記少なくとも１個のねじ要素の前記軸方向の位置は、隣接する前記指部の前記少なくとも１個のねじ要素の前記軸方向の位置と異なることを特徴とする請求項６記載のコネクタ組立体。
【請求項８】
前記少なくとも１個のねじ要素は、前記相手コネクタのねじ部（２１２）と係合するよう構成された少なくとも１個の歯を有することを特徴とする請求項６記載のコネクタ組立体。
【請求項９】
前記リングは、該リングを貫通する接続部用に環境封止部及び電気シールドのうち少なくとも一方を形成するよう構成されていることを特徴とする請求項１記載のコネクタ組立体。
【請求項１０】
前記スリーブ部材は、材料板の共通片を打抜き加工及び曲げ加工されることを特徴とする請求項１記載のコネクタ組立体。
【発明の詳細な説明】
【技術分野】
【０００１】
本発明は総括的にはコネクタに関し、特にプッシュプル型コネクタに関する。
【背景技術】
【０００２】
プッシュプル型コネクタは、システム及びデバイス間に通信接続部や電力接続部をするための迅速な方法を提供することができる。プッシュプル型コネクタは、相手コネクタが雌型のプッシュプルコネクタの収容室内に受容される雌型であってもよい。相手コネクタは典型的には、プッシュプルコネクタが嵌合する、半径方向外側に突出するねじ部を有する。プッシュプルコネクタはまた、相手コネクタが雄型プッシュプルコネクタを受容する収容室を有する雄型であってもよい。プッシュプルコネクタが雄型の場合、相手コネクタは典型的には、収容室内へ半径方向内側に突出し、雄型プッシュプルコネクタが嵌合するよう構成されたねじ部を有する。
【０００３】
公知の雄型プッシュプル型コネクタの一つにおいて、プッシュプルコネクタは、相手コネクタの収容室内に挿入されるよう構成された筒状本体を有する。収容室は、壁の位置表面に沿って形成されると共に半径方向内側へ突出するねじ部を有する筒状壁により区画される。プッシュプルコネクタは筒状プラグ本体を有し、筒状プラグ本体は収容室内に挿入される嵌合端を有する。プラグ本体は、分離区分により部分的に囲まれる。ここで、各区分は、軸方向にプラグ本体に沿って延びる。区分は圧縮性材料製であり、嵌合端に近接して半径方向外側に突出するねじ部を有する。区分は、間隙により互いに分離される。プッシュプルコネクタはまた、間隙に沿って軸方向に移動可能な摺動部材を有する。プッシュプルコネクタ及び相手コネクタを嵌合させるために、プラグ本体は、収容室内に挿入されると共に収容室内へ前進する。プラグ本体が相手コネクタ内に挿入完了すると、摺動部材はプラグ本体に沿って摺動する。各摺動部材の部分は、嵌合端付近の隣接する区分の下で摺動する。区分は半径方向外側に押圧され、キャビティの内側ねじ部に対して押圧する。
【発明の開示】
【発明が解決しようとする課題】
【０００４】
しかし、上述したプッシュプルコネクタが相手コネクタと適当な干渉嵌めを形成するために、区分は、圧縮可能な材料の所定の寸法及び厚さを必要とする。その結果のプッシュプルコネクタの寸法は、所定の工業規格を満足しないおそれがある。また、区分を分離する間隙は、ねじ部と係合するために使用できる材料の量を減少させる。さらに、圧縮可能な材料は、接続用に電気シールドを提供しない。
【０００５】
従って、所定の要求事項を満足しながら、環境封止や電気シールドを形成するプッシュプルコネクタに対するニーズがある。また、他の公知のコネクタより低コストで構成できる雄型プッシュプルコネクタに対するニーズがある。
【課題を解決するための手段】
【０００６】
解決手段は、挿入端、嵌合端、並びに挿入端及び嵌合端間を延びる中心軸を有するプラグ本体を具備するコネクタ組立体により提供される。嵌合端は、通信接続部及び電力接続部の少なくとも一方を構築するため、相手コネクタの収容室内に挿入されるよう構成されている。プラグ本体は、中心軸を取り囲むと共に中心軸から離れる方向を向く外面を有する。また、コネクタ組立体は、プラグ本体上を摺動可能に実装されたリングを具備する。リングは、後退位置及びロック位置間を軸方向にプラグ本体の外面に沿って摺動するよう構成されている。コネクタ組立体はまた、リング上を摺動可能に実装されたスリーブ部材を具備する。スリーブ部材は、嵌合端に向かって延びると共にプラグ本体の外面に向かって内側に付勢された複数の指部を具備する。リングは、後退位置からロック位置まで移動する際に指部と係合し、指部を外面から離れる外側へ撓ませると共に相手コネクタに係合させる。
【０００７】
任意であるが、スリーブ部材は、リングに摺動可能に結合されると共に、指部が相手コネクタの壁面と係合する際に縦軸の周りを若干回転可能である。また、各指部は、半径方向外側に突出する少なくとも１個のねじ要素を具備する。少なくとも１個のねじ要素は、相手コネクタと係合するよう構成される。さらに、スリーブ部材は、金属板の共通片を打抜き加工及び曲げ加工される。
【図面の簡単な説明】
【０００８】
【図１】本発明の一実施形態に従って形成された、コネクタ組立体の斜視図である。
【図２】図１に示されたコネクタ組立体と嵌合するよう構成された相手コネクタの部分断面図である。
【図３】図１に示されたコネクタ組立体と共に使用されるスリーブ部材の斜視図である。
【図４】図１に示されたコネクタ組立体と共に使用されるカラーの正面図である。
【図５】相手コネクタから嵌合解除されたコネクタ組立体の断面図である。
【図６】互いに嵌合したコネクタ組立体及び相手コネクタの部分断面図である。
【図７】本発明の別の実施形態に従って形成されたコネクタ組立体の断面図である。
【図８】互いに嵌合したコネクタ組立体及び相手コネクタの部分断面図である。
【発明を実施するための形態】
【０００９】
以下、添付図面を参照して、例示により本発明を説明する。
【００１０】
図１は、本発明の一実施形態に従って形成されたコネクタ組立体１０２の斜視図である。コネクタ組立体１０２は、プッシュプルコネクタ又は第１コネクタとも称され、第２コネクタとも称される相手コネクタ１０４（図２参照）にケーブル組立体１０６を接続することに使用される。図１において、コネクタ組立体１０２は、相手コネクタ１０４から嵌合解除されている。コネクタ組立体１０２は、挿入端１０３及び嵌合端１０５間を縦軸すなわち中心軸１９０に沿って延びるほぼ直線的構造を有する。嵌合端１０５は、通信接続部及び電力接続部の少なくとも一方を構築するため、相手コネクタ１０４の収容室２０８（図２参照）内に挿入されるよう構成されている。通信接続部は、電気接続部及び光ファイバ接続部の一方又は双方であってもよい。コネクタ組立体１０２及び相手コネクタ１０４は、嵌合完了すると、環境封止部及び電気シールドのうち少なくとも一方を形成する。
【００１１】
図１に示されるように、コネクタ組立体１０２は、外面１１１（図５参照）を有するプラグ本体１１０と、プラグ本体１１０を取り囲むスリーブ部材１４２と、スリーブ部材１４２を取り囲むカラー１３０とを具備する。コネクタ組立体１０２はまた、プラグ本体１１０の挿入端１０３に結合されるブーツ１０７を有してもよい。プラグ本体１１０は、ほぼ筒状構造を有すると共に、縦軸１９０に沿って延びる。図示の実施形態において、プラグ本体１１０は、収容室１１２内に複数の嵌合コンタクト１１３を収容する。或いは、プラグ本体１１０は、内部に嵌合コンタクトを保持するコンタクト溝を有する誘電インサートを具備してもよい。カラー１３０は、プラグ本体１１０上を摺動可能に実装され且つ後退位置（図１参照）及びロック位置（図６参照）間を摺動するよう構成されたリング１３１を有する。詳細に後述するように、スリーブ部材１４２は、嵌合端１０５の方へ延びると共にプラグ本体１１０の外面１１１の方へ付勢された複数の指部１４６を具備する。リング１３１は、後退位置からロック位置に移動すると、スリーブ部材１４２の指部１４６と係合し、指部１４６を外面から離れる方向に撓めると共に相手コネクタ１０４の内面２１８（図２参照）に対して押圧し内面２１８と係合する。
【００１２】
本明細書に開示される利益はまた、他のコネクタ及びコネクタ組立体に適用可能であることを理解されたい。例えば、図示された実施形態において、コネクタ組立体１０２は雌型コネクタであり、相手コネクタ１０４は雄型コネクタである。しかし、当業者であれば、雄型コネクタが、雄型部品に加えて、例えばコネクタ組立体１０２のコンタクト溝１１２のような雌型部品を有してもよいことを理解するであろう。同様に、雌型コネクタが、例えばプラグインサート２２０（図２参照）のような雄型部品を有してもよい。また、コネクタ組立体１０２の図示の実施形態は直線的なプッシュプル型コネクタであるが、コネクタ組立体１０２の別の実施形態はプッシュプル型である必要はなく、または、直線的構造を有する必要もない。例えば、コネクタ組立体１０２は、ライトアングル構造を有するプッシュプル型コネクタであってもよい。また、コネクタ組立体１０２は、米国特許出願第１２／１０４５５１号に開示されたような他の部品を有してもよいし、他の動作を行ってもよい。このように、以下の説明は、限定ではなく、例示目的で提供されるものである。
【００１３】
図２は、相手コネクタ１０４の部分断面図である。雄型コネクタ１０４は、収容室２０８を区画する幹壁（stem wall）２０４を有する。収容室２０８は、コネクタ組立体１０２（図１参照）の嵌合端１０５（図１参照）を受容するよう構成される。幹壁２０４は、外壁面２０６及び内面２１８を有し、収容室２０８まで開口２１６を区画する前縁２１４を有する。収容室２０８は、（例えば、円形又は矩形の）嵌合端１０５の受容に適する断面を有し、ほぼ軸方向に沿って（すなわち、コネクタ組立体１０２及び相手コネクタ１０４が嵌合する際に縦軸１９０に沿って）延びる。開口２１６は直径Ｄ1を有する。相手コネクタ１０４はまた、収容室２０８の後端にコンタクト基部２１０を有する。コンタクト基部２１０は、プラグ本体１１０（図１参照）が収容室２０８内に挿入される際に、積極的停止部として機能する。コンタクト基部２１０は、圧縮可能な材料（例えば、ゴム又はプラスチック）で形成されてもよく、また、コンタクト基部２１０を貫通する接続部用の環境封止部を形成するために別体のＯリングを有してもよい。
【００１４】
図示の実施形態において、内面２１８は、半径方向内側に（すなわち、中心軸１９０に向かう方向に）突出する複数のねじ部２１２を有する。図１に示される軸１９１は半径方向を外側を示す。ねじ部２１２は、内面２１８の周囲を延びるか、又は内面２１８を囲む。ねじ部２１２は、壁面２０６の周囲を部分的に又は完全に延びて、図２に示される軸方向に内面２１８の一部に沿って延びる。或いは、ねじ部２１２は、前縁２１４に近接した位置からコンタクト基部２１０に近接した位置まで収容室２０８前端を貫通してもよい。図示の実施形態において、ねじ部２１２は、コネクタ組立体１０２及び相手コネクタ１０４が嵌合する際に指部１４６（図１参照）と係合するよう構成されている。しかし、別の実施形態では、内面２１８は、幹壁２０４内に又は幹壁２０４を通って延び、指部１４６と係合するよう構成された、突条、突起、凹部又は穴等の他の構造を有してもよい。
【００１５】
また、図２に示されるように、相手コネクタ１０４は、収容室２０８内に配置されたプラグインサート２２０を有する。プラグインサート２２０は、誘電材料で形成され、相手コンタクト１１３（図１参照）を受容し嵌合するよう構成された複数のコンタクト溝２２２を有する。プラグインサート２２０は、収容室２０８に臨む嵌合面２２４を有する。プラグインサート２２０は、外面２２１を有し、プラグ本体１１０の収容室に受容される形状をなす。また、図２に示されるように、プラグインサート２２０の外面２２１及び幹壁２０４の内面２１８の間に、間隙Ｇ1が区画される。
【００１６】
図３は、スリーブ部材１４２の斜視図である。スリーブ部材１４２は、コネクタ組立体１０２（図１参照）が図１に示されるように構成されると、プラグ本体１１０を取り囲むと共に軸方向にプラグ本体１１０に沿って延びる。スリーブ本体１４２は、材料板を打抜き加工及び曲げ加工される。或いは、スリーブ本体１４２は、機械加工又は成形されてもよい。このように、スリーブ部材１４２は、内面１４３、外面１４５、並びに内面１４３及び外面１４５間を延びる厚さＴにより区画される。図３に示されるように、スリーブ本体１４２は、プラグ本体１１０（図１参照）の周囲に延びるよう構成された基部１４４を有する。基部１４４はほぼ筒形状を有する。また、スリーブ部材１４２は、基部１４４及び指部１４６から離れる方向に延びる複数の把持部材１５０を有する。コネクタ組立体１０２が形成完了されると、把持部材１５０は挿入端１０３（図１参照）の方へ延びる。把持部材１５０は、縦軸１９０の周囲に分布し、切欠１５１により互いに分離される。このように、各把持部材１５０は、円弧長Ｌ1を有する幅Ｗ1を有する。図３に示されるように、スリーブ部材１４２は、縦軸の周囲に均等に分布した５個の把持部材１５０を有する。しかし、別の実施形態において、スリーブ部材１４２は、異なる数の把持部材１５０や、互いに不均等に分布又は分離した把持部材１５０を有してもよい。また、別の実施形態において、スリーブ部材１４２は把持部材１５０を有さなくてもよい。
【００１７】
指部１４６は、コネクタ組立体１０２が形成完了すると、嵌合端１０５に向かってプラグ本体１１０に沿って延びる。図３に示されるように、指部１４６は、基部１４４から末端１４９に向かって縦軸１９０に沿って延びる。指部１４６は、縦軸１９０の周囲に均等に分布し、切欠すなわちスリット１５７により互いに分離されている。図示の実施形態において、各指部１４６は、他の指部１４６と共通の曲率半径を有するほぼ矩形本体を有する。各指部１４６は、基部１４４から末端１４９の共通の円弧縁１６１まで延びる縦縁１６０，１６２により区画される。指部１４６が緩和状態にある場合、図３に示されるように、複数の指部１４６は、各指部１４６が中心軸１９０の方へ付勢される閉じた配置を形成する。
【００１８】
以下により詳細に説明するように、指部１４６は、半径方向外側に（すなわち、プラグ本体１１０から離れる方向に）撓むように構成され、相手コネクタの内面２１８に係合する。実施形態によっては、指部１４６が外側に撓む際に指部１４６がほぼ筒状構造を形成し、筒状構造を貫通する接続部に電気シールドを提供するように、細くてもよい。このように、実施形態によっては、指部１４６の寸法は、指部１４６を閉じた配置と壁面２１８に当接した状態との間を撓むことができるように構成されるが、可能な限り細いスリット１５７を有する。
【００１９】
また、図３に示されるように、各指部１４６は、中心軸１９０から離れる方向に指部１４６の外面１４５から突出するねじ要素１４８を有する。ねじ要素１４８は、収容室２０８内に示されるねじ部２１２等の構造と係合又は把持するよう構成される。図示の実施形態において、ねじ要素１４８は、外面１４７から離れる方向に延びる歯状突起である。或いは、ねじ要素１４８は、相手コネクタ１０４の構造と係合するための、突条又は突起等の他の構成を有してもよい。
【００２０】
図３に示されるように、各ねじ要素１４８は、対応する指部１４６に沿った軸方向の位置を有する。図示の実施形態において、各指部１４６用のねじ要素１４８は、隣接する指部１４６上のねじ要素１４８の軸方向の位置に対して異なる軸方向の位置を有する。
【００２１】
スリーブ部材１４２は、金属合金又は合成物等の弾性柔軟材料を打抜き加工及び曲げ加工される。スリーブ部材１４２はまた、プラスチック又は他の誘電材料から製作されてもよい。また、スリーブ部材１４２は、成形又機械加工により製造されてもよい。一実施形態において、指部１４６及びねじ要素１４８を有するスリーブ部材１４２は、端から端までほぼ一定厚さを有する共通の材料板を打抜き加工及び曲げ加工することができる。図示の実施形態において、歯状突起は、機械デバイス又は機械要素を材料板の一面に押圧することによりエンボス加工される。或いは、ねじ要素１４８は、半径方向外側に縦縁１６０又は１６２から離れる方向に延びる曲げ突起により形成されてもよい。同様のねじ要素は特許出願（整理番号E-GI-00495）に開示されている。指部１４６及びねじ要素１４８が打抜き加工及び曲げ加工された後、スリーブ部材１４２は所定形状（例えば、筒状）に巻かれる。スリーブ部材１４２の巻き加工の前又は後に、指部１４６は、付勢された閉じた配置に構成され、緩和位置にある間、付勢位置を維持するために硬化処理される。
【００２２】
別の実施形態において、指部１４６は他の形状及び構成を有してもよい。例えば、指部１４６は、基部１４４から延びると共に指部１４６が狭い胴部で互いに接触しないが指部１４６の末端１４９で接触するか互いに直接隣接するように徐々に広がる狭い胴部を有する。或いは、指部１４６は、指部１４６として傾斜して対応する末端１４９まで延びるより広い胴部を有する。また、スリーブ部材１４２も、筒状とは異なる形状を有する。例えば、スリーブ部材１４２は正方形を形成するよう巻かれる。このような一実施形態において、それぞれが正方形の一辺から突出する４本の指部がある。また、指部１４６は、上述した特許出願に記載された指部と同様である。
【００２３】
図４は、カラー１３０の正面図である。カラー１３０は、リング１３１と、リング１３１に作動結合されたシール帯１３３とを具備する。図示の実施形態において、シール帯１３３及びリング１３１は、縦軸１９０と同軸状の円形形状を有する。リング１３１は、内面２３２及び外面２３４を有する。シール帯１３３は、内面２４２及び外面２４４を有する。図示されるように、リング１３１及びシール帯１３３は、半径方向支持部２４８により互いに作動結合される。半径方向支持部２４８は、リング１３１の外面２３４からシール帯１３３の内面２４２まで突出する。半径方向支持部２４８は縦軸１９０の周囲に分布する。例えば、図４に示されるように、半径方向支持部２４８は、縦軸１９０の周囲に均等に分布する。各半径方向支持部２４８は、隣接する半径方向支持部から円弧長Ｌ2の間隙Ｇ2だけ分離する。実施形態によっては、円弧長Ｌ2は、把持部材１５０（図３参照）の円弧長Ｌ1より実質的に大きい。また、図示されるように、シール帯１３３の外面２４４は、作業者がカラー１３０を把持することを容易にするようナーリングを有する。
【００２４】
リング１３１、シール帯１３３及び半径方向支持部２４８は、一体に形成（例えば、機械加工又は成形）されてもよいし、別体の部品を組み立ててもよい。
【００２５】
図５は、相手コネクタ１０４から嵌合解除されたコネクタ組立体１０２の部分断面図である。図６は、互いに嵌合したコネクタ組立体（図１参照）及び相手コネクタ（図２参照）の部分断面図である。カラー１３０及びリング１３１は、図５では後退位置にあり、図６ではロック位置にある。図示されるように、コネクタ組立体１０２は、プラグ本体１１０内に保持される位置決め部材２３０及びコンタクトインサート２３１を具備する。位置決め部材２３０及びコンタクトインサート２３１は、誘電材料を有すると共に嵌合コンタクト１１３を所定配置に保持するよう構成される。また、図示されるように、ブーツ１０７（図５参照）は、ブーツ１０７を貫通するようケーブル組立体（図１参照）からの電気ケーブルや光ファイバケーブル２３６（図５参照）用の通路を形成する。
【００２６】
図５及び図６に示されるように、リップ部１８４は、プラグ本体１１０の外面１１１から半径方向外側へ距離Ｄ2だけ突出する。また、指部１４６は、外面１１１から離れる方向に最大高さＨ1を有する。例えば、最大高さＨ1は、外面１１１からねじ要素１４８の先端まで延びる。最大高さＨ1は、距離Ｄ2より小さくてもよいし、等しくてもよい。このように、嵌合端１０５が相手コネクタ１０４の収容室２０８内に挿入される際に、指部１４６は、ねじ部１４８が前縁２１４（図６参照）に捕捉されすなわち引っかかることなく、相手コネクタ１０４の前縁２１４を越える。
【００２７】
コネクタ組立体１０２を形成するために、スリーブ部材１４２（図５参照）は、スリーブ部材１４２が縦軸１９０（図１参照）の周囲をプラグ本体１１０が取り囲むように、プラグ本体１１０上に挿入される。次に、リング１３１は、リング１３１がスリーブ本体１４２及びプラグ本体１１０の外面１１１間に位置するように、プラグ本体１１０及びスリーブ本体１４２間の空間内に挿入される。このように、スリーブ本体１４２は、リング１３１の外面２３４（図４参照）上に摺動可能に実装される。カラー１３０がプラグ本体１１０及びスリーブ部材１４２上に挿入されると、隣接する半径方向支持部２４８間の各間隙Ｇ2（図４参照）は、対応する把持部材１５０を受容する。一実施形態において、把持部材１５０の円弧長Ｌ1は、間隙Ｇ2の円弧長Ｌ2よりも小さい。このように、スリーブ部材１４２は、縦軸１９０の周囲を若干回転することができる。若干の回転により、ねじ要素１４８及びねじ部２１２が精確に整列していない場合にスリーブ部材１４２を調整することができる。或いは、円弧長Ｌ1，Ｌ2をほぼ等しくし、コネクタ組立体１０２の形成完了時に把持部材１５０が間隙Ｇ2と干渉嵌めを形成してもよい。また、スリーブ部材１４２は把持部材１５０を有していなくてもよい。
【００２８】
プラグ本体１１０、スリーブ部材１４２及びカラー１３０が図５に示されるように互いに対して位置した後、嵌合コンタクト１１３、位置決め部材２３０及びコンタクトインサート２３１はプラグ本体１１０の挿入端１０３内に挿入され、ブーツ１０７がケーブル２３６上を摺動し且つプラグ本体１１０の挿入端１０３に結合される。しかし、前述のコネクタ組立体１０２の形成は単に一例であり、本明細書に記載されたコネクタ組立体の実施形態を形成する他の方法もある。
【００２９】
コネクタ組立体１０２が形成完了すると、カラー１３０は、プラグ本体１１０の外面１１１に沿って軸方向に可動である。コネクタ組立体１０２及び相手コネクタ１０４を嵌合させるために、プラグ本体１１０の嵌合端１０５は、開口２１６（図２参照）を通って挿入され、収容室２０８内に前進する。プラグ本体１１０及び内面２１８の一方又は両方は、プラグインサート２２０に関してプラグ本体１１０の適切な整列を容易にするための溝、キー又は他の構造を有してもよい。プラグ本体１１０のリップ部１８４が収容室２０８内でコンタクト基部２１０と係合したり、プラグインサート２２０の嵌合面２２４が位置決め部材２３０と係合する際、カラー１３０は、図６の矢印Ｍで示される軸方向に前進し続ける。実施形態によっては、指部１４６の末端１４９がリップ部１８４と係合するまで、スリーブ部材１４２が最初にカラー１３０と共に軸方向に摺動してもよい。カラー１３０が軸方向にプラグ本体１１０に沿って移動し続けると、各半径方向支持部２４８（図４参照）は、対応する切欠１５１内で隣接する把持部材１５０間で摺動する。リング１３１は、内面１４３（図３参照）と係合し、指部１４６を外面１１１から離れる外側へ弾性的に撓ませる。図示の実施形態において、指部１４６は内面２１８（図２参照）の方へ撓み、ねじ要素１４８はねじ部２１２と係合する。ねじ要素１４８及び対応するねじ部２１２が互いに嵌合するよう精確に整列しない場合、不適切な取付けにより生ずる力が、リング１３１上のスリーブ部材１４２の回転位置や軸方向の位置を若干調節する。図６に示されるように、コネクタ組立体１０２及び相手コネクタ１０４が嵌合完了すると、シール帯１３３は幹壁２０４の前縁２１４を取り囲む。嵌合完了時に、指部１４６及びスリーブ部材１４２は、これらを貫通する接続部用の電気シールドを形成し、コネクタ組立体１０２は相手コネクタ１０４と環境封止部を形成する。
【００３０】
コネクタ組立体１０２を取り外すために、カラー１３０を後退位置まで移動する。リング１３１が後退すると、指部１４６が縦軸１９０の方へ内側に撓むことにより、ねじ要素１４８がねじ部２１２から係合解除される。次に、コネクタ組立体１０２の嵌合端１０５が収容室２０８から取り外される。このため、図示の実施形態において、コネクタ組立体１０２は、互いに摺動可能に実装された３個の同心部品（すなわち、プラグ本体１１０、リング１３１及びスリーブ部材１４２）を具備する。これらの部品は、相手コネクタ１０４と嵌合、嵌合解除するために、互いに同時に移動してもよい。
【００３１】
図７及び図８は、別の実施形態に従って形成されたコネクタ組立体３０２（図７参照）を示す。図示されるように、コネクタ組立体３０２は雄型プッシュプルコネクタであり、上述したコネクタ組立体１０２と同様の特徴及び部品を有する。コネクタ組立体３０２は、相手コネクタ１０４について上述したのと同様の特徴及び部品を有する相手コネクタ３０４（図８参照）と封止可能に嵌合するよう構成されている。コネクタ組立体３０２はプラグ本体３１０を具備し、プラグ本体３１０は、挿入端３０３、嵌合端３０５及びこれら端の間に延びる縦軸３９０（図７参照）を有する。嵌合端３０５は、通信接続部及び電力接続部の少なくとも一方を構築するため、相手コネクタ３０４の収容室３０８（図８参照）内に挿入されるよう構成されている。プラグ本体３１０は、外面３１１と、外面３１１から半径方向外側に突出する突条３１５とを有する。突条３１５は、縦軸３９０の周囲を外面３１１全体に沿って延びる（すなわち、プラグ本体の周囲に延びる）。突条３１５は、以下に詳細に説明するように、対応する指部３４６と相互作用する支点として作用するよう構成されている。別の実施形態では、複数の突条がプラグ本体３１０の周囲に延びる。このような実施形態において、各突条は、以下に説明するように、対応する指部３４６と係合する。
【００３２】
また、図示されるように、コネクタ組立体３０２は、プラグ本体３１０を取り囲むスリーブ部材３４２を有する。スリーブ部材３４２は、プラグ本体３１０の外面３１１に沿って且つ嵌合端３０５の方へ軸方向に延びる複数の指部３４６を具備する。各指部３４６は突条３１５上を延びる。各指部３４６は、挿入端３０３に近接した突条３１５の一方の側の基部３８０と、嵌合端３０５に近接した突条３１５の他方の側のレバー部３８２と、突条３１５上に直接延びると共に基部３８０及びレバー部３８２を結合させる過渡部３８４とを有する。また、コネクタ組立体３０２は、プラグ本体３１０及びスリーブ部材３４２を取り囲むリング３３１を有する。リング３３１は、後退位置及びロック位置間を軸方向にスリーブ部材３４２の外面に沿って摺動するよう構成されている。図７は後退位置にあるリング３３１を示し、図８はロック位置にあるリング３３１を示す。
【００３３】
リング３３１が後退位置からロック位置に移動すると、リング３３１は、各指部３４６の基部３８０を圧縮する。指部３４６は、プラグ本体３１０の外面３１１の方へ移動する。指部３４６は突条３１５を押圧し、指部３４６のレバー部３８２を外面３１１から離れる方向に撓ませると共に相手コネクタ３０４の内壁面３１８に係合させる。より具体的には、基部３８０及び過渡部３８４の一方又は両方は、突条３１５を押圧し、外面３１１からレバー部３８２を移動させるよう梃子入れする。
【００３４】
図８に示されるように、過渡部３８４は、挿入端３０３側の突条３１５上で持ち上がった後、過渡部３８４が下方へ傾斜するように外面３１１に向かって下方へ延び、嵌合端３０５が面する突条３１５の側と係合する。図示の実施形態において、過渡３８４が挿入端３０３に面する側の突条３１５より高いので、指部３４６はレバー部３８２を持ち上げるためにより梃子入れする。
【００３５】
図示されるように、各指部３４６は、指部３４６から突出して相手コネクタ３０４の収容室３０８内でねじ部４１２と係合するよう構成されるねじ要素３４８を有する。また、図示の実施形態において、各指部３４６のレバー部３８２は、外面３１１の方へ付勢される。実施形態によっては、リングが後退位置にある場合、レバー部３８２は、プラグ本体３１０の外面３１１に直接当接する。
【００３６】
図７及び図８に示されるように、各指部３４６は、基部３８０上に配置され、指部３４６から半径方向外側に延びる突起３８６を有する。リング３３１は、スリーブ部材３４２の周囲に延びる溝３８８を有する。図８に示されるように、リング３３１がロック位置へ移動すると、突起３８６は溝３８８と干渉嵌めを形成する。このように、突起３８６及び溝３８８は、リング３３１がロック位置から不用意に移動しないように、リング３３１を所定位置に保持することを容易にする。別の実施形態において、リング３３１は複数の溝を有してもよい。これらの溝は、各溝が１個の突起３８６と係合するよう構成されるリング３３１の周囲に延びる。
【符号の説明】
【００３７】
１０２  コネクタ組立体
１０３  挿入端
１０４  相手コネクタ
１０５  嵌合端
１１０  プラグ本体
１１１  外面
１１２  収容室
１１３  嵌合コンタクト
１３１  リング
１３３  シール帯
１４２  スリーブ部材
１４６  指部
１４８  ねじ要素
１５７  スリット
１９０  中心軸
２０６  壁面
２０８  収容室
２１２  ねじ部
２１８  内面（内壁面）
２２２  コンタクト溝
【図１】
0005557846.tif 000002
【図２】
0005557846.tif 000003
【図３】
0005557846.tif 000004
【図４】
0005557846.tif 000005
【図５】
0005557846.tif 000006
【図６】
0005557846.tif 000007
【図７】
0005557846.tif 000008
【図８】
0005557846.tif 000009